(57)【要約】【課題】  感染症等の医療情報を医療機関に迅速に配信することができる医療情報配信装置、医療情報配信システム及び医療情報配信方法を提供する。【解決手段】  医療情報を取得し、前記取得した医療情報を通信回線を介して医療機関に配信する医療情報配信装置１であって、医療情報発信源と通信回線を介して医療情報を取得する医療情報取得部１１と、前記医療情報を配信する対象となる医療機関情報および前記医療機関を分類する配信対象分類部１４と、前記取得した医療情報に対する前記医療情報の重要度レベルを判定し、かつ医療情報の内容に応じて前記配信対象分類部に分類された配信する対象となる医療機関を判定する医療情報判定部１３と、前記医療情報判定部で判定された医療情報を対象となる医療機関に通信回線を介して配信する医療情報配信部１５とから構成される。【選択図】      図１
2005251027.tif 000002
【特許請求の範囲】
【請求項１】
医療情報を取得し、前記取得した医療情報を通信回線を介して医療機関に配信する医療情報配信装置であって、
医療情報発信源と通信回線を介して医療情報を取得する医療情報取得部と、
前記医療情報を配信する対象となる医療機関および前記医療機関を分類する配信対象分類部と、
前記取得した医療情報に対する前記医療情報の重要度レベルを判定し、かつ医療情報の内容に応じて前記配信対象分類部に分類された配信する対象となる医療機関を判定する医療情報判定部と、
前記医療情報判定部で判定された医療情報を対象となる医療機関に通信回線を介して配信する医療情報配信部と
から構成されることを特徴とする医療情報配信装置。
【請求項２】
医療情報を取得し、前記取得した医療情報を通信回線を介して医療機関に配信する医療情報配信装置であって、
前記医療情報配信装置は、医療情報発信源と通信回線を介して取得する医療情報取得部と、
前記取得した情報を格納する医療情報格納部と、
前記医療情報を配信する対象となる医療機関および前記医療機関を分類する配信対象分類部と、
前記医療情報格納部に格納した医療情報に対する前記医療情報の重要度レベルを判定し、かつ医療情報の内容に応じて前記配信対象分類部に分類された配信する対象となる医療機関を判定する医療情報判定部と、
前記医療情報判定部で判定された医療情報を対象となる医療機関に通信回線を介して配信する医療情報配信部と
から構成され、
前記医療情報判定部は、対象となる医療機関に新たな医療情報が登録されたこと及びその重要度レベルを配信対応に応じて各医療機関に通知することを特徴とする医療情報配信装置。
【請求項３】
前記医療情報判定部は、同一の内容の医療情報に対して時系列及び配信する対象となる医療機関に応じて重要度レベルを判定することを特徴とする請求項１又は請求項２に記載の医療情報配信装置。
【請求項４】
前記医療情報発信源からの医療情報が国又は地方都市からの緊急情報であり、前記医療情報判定部が初期情報と判定した場合、前記医療情報判定部は、重要度レベルを「高レベル」と判定し、前記医療情報配信部は、全ての医療機関に高レベルと判定された前記医療情報を配信することを特徴とする請求項３に記載の医療情報配信装置。
【請求項５】
前記医療情報発信源からの医療情報が国又は地方都市からの緊急情報であり、初期情報以外の情報と判定した場合、前記医療情報判定部は、医療情報の内容に応じて対象となる医療機関への重要度レベルを判定することを特徴とする請求項４に記載の医療情報配信装置。
【請求項６】
前記医療情報配信部は、重要度レベルに応じて配信する情報の配信方法を変化させることを特徴とする請求項１から請求項５のいずれか１項に記載の医療情報配信装置。
【請求項７】
医療情報を取得し、前記取得した医療情報を通信回線を介して医療機関に配信する医療情報配信装置と、前記医療情報配信装置と通信回線を介して接続された医療機関の端末とから構成された医療情報配信システムであって、
前記医療情報配信装置は、医療情報発信源と通信回線を介して取得する医療情報取得部と、
前記医療情報を配信する対象となる医療機関および前記医療機関をを分類する配信対象分類部と、
前記取得した医療情報を前記医療情報の重要度レベルを判定し、かつ医療情報の内容に応じて前記配信対象分類部に分類された配信する対象となる医療機関を判定する医療情報判定部と、
前記医療情報判定部で判定された医療情報を対象となる医療機関に通信回線を介して配信する医療情報配信部
とから構成されることを特徴とする医療情報配信システム。
【請求項８】
コンピュータシステムを用いて、医療情報を取得し、前記取得した医療情報を通信回線を介して医療機関に配信する医療情報配信方法であって、前記コンピュータは、
医療情報発信源から通信回線を介して医療情報を取得する医療情報取得工程、
前記取得した医療情報の重要度レベルを判定する重要度レベル判定工程、
前記医療情報の配信対象群を判定する配信対象判定工程、
前記医療情報を医療機関に配信する医療情報配信工程、
とを含むことを特徴とする医療情報配信方法。
【請求項９】
前記コンピュータは、前記取得した医療情報が初期情報か否かを判定し、初期情報である場合には重要度レベルを高レベルと判定し、全ての医療機関に高レベルと判定した医療情報を配信することを特徴とする請求項８に記載の医療情報配信方法。
【請求項１０】
前記取得した医療情報が初期情報か否かを判定し、初期情報でない場合には、前記医療情報の個別情報を判定し、判定した個別情報に応じて、前記取得した医療情報の重要度レベルを判定することを特徴とする請求項８又は請求項９に記載の医療情報配信方法。
【請求項１１】
前記個別情報の判定を、前記医療情報のキーワードの検索により行うことを特徴とする請求項１１に記載の医療情報配信方法。
【請求項１２】
前記医療情報の配信対象群の判定を個別情報に応じて行うことを特徴とする請求項１０又は請求項１０に記載の医療情報配信方法。
【発明の詳細な説明】
【技術分野】
【０００１】
本発明は、医療情報配信装置、医療情報配信システム及び医療情報配信方法に関する。より詳しく述べると、国からの緊急情報（通達／告示）等を各種病院へその情報の重要度に応じて配信する医療情報配信装置、医療情報配信システム及び医療情報配信方法に関する。
【背景技術】
【０００２】
平成１０年１０月２日で交付された感染症の予防及び感染症の患者に対する医療に関する法律に基づいて、感染症の発生の予防及び蔓延の防止等を目的として、各都市では感染症発生状況の動向調査が行われている。
【０００３】
例えば、非特許文献１では、図７に示す通り、感染情報を医療機関等に配信している。図７は、従来医療情報の流れを示す図面である。
まず、厚生労働省、国立感染症情報センタ等の国の機関からの情報を地方の衛生試験所や地方の保健所で入手し、入手した情報を各医療機関等に配信している。また、例えば、医療機関で結核や感染症等が発見された場合には、地方の保健所に届け出がされ、その医療情報が国立感染症情報センタ、地方の衛生研究所を経由して各医療機関に配信される仕組みとなっている。
【０００４】
例えば、感染症として近年話題となっている、重症急性呼吸症候群（ＳＡＲＳ）の場合、下記のような医療情報が国又は地方公共団体から通達（告示）されている。
ＳＡＲＳを心配する方から、電話で相談・問い合わせがあった場合、相談された方の話をよく聞いて、ＳＡＲＳの疑いがあるのかどうかについて判断する。
地方の保健医療情報センター等に連絡する際は、患者の居住地を必ず確認する。
１  症状・渡航歴について、十分問診を行い、「ＳＡＲＳの確認３項目（ア  ３８度以上の急な発熱、イ  せきや息苦しさなどの呼吸器症状、  ウ  １０日以内のＳＡＲＳ伝播確認地域への渡航歴・居住歴（または１０日以内のＳＡＲＳ患者との接触））」にあてはまるかどうかを確認する。
２    確認３項目にあてはまらない場合（例；本人が渡航していない・渡航場所が伝播確認地域ではない・潜伏期間を過ぎている等）は、一般患者として確実に診療する。
３    問診にて確認３項目を満たしていると判断された場合で、施設設備上の理由で診療が難しい場合については、住所・氏名・連絡先を聞いたうえで、保健所から連絡がいく旨、伝える。
４  医師はすぐに最寄りの保健所に連絡する。
（１）保健所に患者の状況を説明する。
（２）保健所は、協力医療機関への受診が必要であると判断した場合は、受診可能な協力医療機関を探す。相談者宅へも保健所から連絡することとなるので、医師は患者の住所・氏名・連絡先を保健所に伝える。
５  患者の診察結果については、後日保健所から連絡が入る。
【非特許文献１】http://www.pref.shiga.jp/e/ef45/bisei/kansen-c/kansensyoujyouhousenta%20.pdf    平成１６年１月２０日検索
【発明の開示】
【発明が解決しようとする課題】
【０００５】
しかしながら、従来の医療機関への医療情報の流れでは、末端となる各医療機関に、迅速な情報が流れない場合や末端への情報の徹底ができない場合があり、各医療機関が、十分な対応をとれない場合がある。また、例えば、専門とは外れた医療機関では現在発生している感染症に対して十分に認知しておらず、対策が遅れる場合がある。
【０００６】
従って、本発明の課題は、感染症等の医療情報を医療機関に迅速に配信しかつ末端へ情報を徹底することができる医療情報配信装置、医療情報配信システム及び医療情報配信方法を提供することである。また、本発明の別の課題は、医療情報の内容に応じて、各種医療機関に重要な情報（高レベルの情報）と、認知すればよい情報とを区別して医療情報を配信する医療情報配信装置、医療情報配信システム及び医療情報配信方法を提供することである。
【課題を解決するための手段】
【０００７】
前記課題を解決するための本発明は、医療情報を取得し、前記取得した医療情報を通信回線を介して医療機関に配信する医療情報配信装置であって、医療情報発信源と通信回線を介して医療情報を取得する医療情報取得部と、前記医療情報を配信する対象となる医療機関情報および前記医療機関を分類する配信対象分類部と、前記取得した医療情報に対する前記医療情報の重要度レベルを判定し、かつ医療情報の内容に応じて前記配信対象分類部に分類された配信する対象となる医療機関を判定する医療情報判定部と、前記医療情報判定部で判定された医療情報を対象となる医療機関に通信回線を介して配信する医療情報配信部とから構成されることを特徴とするものである。
【０００８】
更に、前記医療情報配信部は、重要度レベルに応じて配信する情報の配信方法を変化させることができる。
また、本発明は、このような医療情報配信装置と医療機関の端末とから構成された医療情報配信システムに関する。
また、本発明は、医療情報を取得し、前記取得した医療情報を通信回線を介して医療機関に配信する医療情報配信方法であって、医療情報発信源から通信回線を介して医療情報を取得する医療情報取得工程、前記取得した医療情報の重要度レベルを判定する重要度レベル判定工程、前記医療情報の配信対象群を判定する配信対象判定工程、前記医療情報を医療機関に配信する医療情報配信工程、とを含む医療情報配信方法に関する。
【発明の効果】
【０００９】
このような本発明の医療情報配信装置、医療情報配信システム及び医療情報配信方法は、国等からの医療情報を迅速に末端の医療機関に配信することが可能となる。また、時系列的、重要度レベル別に医療情報を配信することにより、各専門医療機関に必要な情報を迅速にもれなく末端まで配信することが可能となる。更に、各専門医療機関に応じて重要である高レベルの情報と認知すればよい程度の比較的低レベルの情報を配信することが可能であるので、各種医療機関は、医療情報を適切に認知可能となる。
【発明を実施するための最良の形態】
【００１０】
以下、本発明を添付図面を用いて詳細に説明する。
図１は、本発明の医療情報配信装置（システム）の一例を示す図面であり、図２は、本発明の医療配信システムが取得する医療情報の一例を示す図面であり、図３は、通信回線を介して医療機関が本発明の医療情報配信システムから取得した医療情報の一例を示す図面であり、図４は、医療情報判定部の構成の一例を示すフローチャートであり、そして図５及び図６は、一実施形態における個別情報を判定して重要度クラス分けを行うフローチャートである。
【００１１】
なお、本実施の形態において、医療情報として、主に厚生労働省からの通達／告示を中心に説明するが本発明はこのような医療情報に限定されるものではなく幅広く適用可能である。また、本発明の医療情報とは、現在発生している感染症の発生状況等のその処置、蔓延防止等の目的で各医療機関が取得する必要のある全ての情報を包含するものである。
また、本発明に言う医療機関とは、各専門の開業医だけでなく、臨床検査センタ等の本発明の医療情報の配信を必要する機関全てを含むものである。
更に、本発明に言う医療情報の重要度レベルとは、例えば医療情報の時系列的なレベルや、医療情報の専門に応じたレベルである。すなわち、最初の情報（初期情報）は、医療機関の専門に関わらず高いレベルであり、また例えば医療機関の専門別（内科、耳鼻科、外科・・・）に重要度のレベルが異なる。
【００１２】
（医療情報配信装置）
先ず、図１に基づいて、本発明の医療情報配信装置を説明する。図１に示す通り、本発明の医療情報配信装置１は、医療情報取得部１１と、医療情報格納部１２と、医療情報判定部１３と、配信対象分類部１４と、医療情報配信部１５とから主として構成されているコンピュータシステムである。
【００１３】
医療情報取得部１１は、通信回線を介して国立感染症研究所のサーバ等の医療情報発信源Ｓと接続され、例えば所定時間毎に自動的に閲覧し、新規の医療情報があればその医療情報を取得する。
医療情報格納部１２は、このようにして医療情報取得部１１で取得した情報を一時的に及び／又は分類して格納する情報記憶装置である。
【００１４】
医療情報判定部１３は、後記するように取得され格納された医療情報を解析して医療情報の重要度レベルを判定し、かつ医療情報の内容に応じて後記する配信対象分類部１４に分類された配信する対象となる医療機関を判定する。
すなわち、まず、取得した医療情報を、まずリストに載っていない初期情報か否かを判定する。例えば医療情報が感染情報センタからの医療情報である場合には、表１に示す通り、一類から四類までの感染症の対象となっている疾患名がリストアップされている。また、リストアップされていない感染症の場合には、医療情報は、例えば図２に示す通り原因不明の肺炎に関するＷＨＯの緊急情報等のタイトルが附されている。また、図３に示す通り、同一の症例については医療情報リストとして入手することが可能である。そのため、例えば、未知ウイルス、細菌等による感染の場合には、未知、原因不明・・・等の用語をキーワードとして検索するかあるいは疾患名がリストアップされていない場合には未知であると判定しても良い。
【００１５】
【表１】
2005251027.tif 000003
【００１６】
そこで、このような医療情報発信源Ｓの医療情報の発信形態に応じて，医療情報判定部１３は、医療情報をカテゴリ別に分類し、かつ時系列的に分類する。なお、医療情報を判定するのに際して、その医療情報がテキスト化されていない情報、すなわちイメージ情報である場合には従来公知の文字認識（Ｏｐｔｉｃａｌ  Ｃｈａｒａｃｔｅｒ  Ｒｅｃｏｇｎｉｚａｔｉｏｎ）等によりテキスト化し、このテキスト情報に基づいて、例えば、順にエボラ出血熱、クリミア・コンゴ出血熱、ペスト、マールブルク病、ラッサ熱・・・等の検索を行ってカテゴリ別に分類する。
【００１７】
また、感染症の細菌のキーワードとして、例えば細菌学会から出版されているバイオセーフティー指針に記載の微生物名を用いることもできる。このように、公的機関・学術団体等で使用されている用語をキーワードとすることによって、医療情報のカテゴリ分類の精度を上げることが可能となる。
【００１８】
また、細菌の場合には、細菌学会、ＤＳＭ、感染研究所で詳細に分類されており、ウイルスと比較して比較的に対応関係が明確である。そのため例えば、表１に示す腸管出血性大腸菌感染症の場合、例えば大腸菌Ｏ１５７、Ｂａｃｉｌｌｕｓ  Ｃｅｒｅｕｓ等の関連する用語を予めキーワードとして登録する等により検索内容を拡大することも可能である。
時系列の判定は、例えば取得した医療情報の作成日、更新日等を参照したり、あるいは医療情報の文字検索（例えば、平成○年○月○日）を行うことによって達成することが可能である。
【００１９】
また、医療情報判定部１３は、このようにしてカテゴリ別に分類しかつ時系列判定した医療情報を後記する配信対象分類部１４に分類された医療機関に応じて重要度を判定する。
すなわち、前記の通り医療情報判定部１３が時系列判定を行って、判定した医療情報が一次情報（初期情報）である場合には、例えば重要度（高）と判定し、判定した医療情報が初期情報でない場合には情報の時系列及び後記する配信対象分類部１４に登録された医療機関のカテゴリに応じて重要度（高、中又は低）が判定される。
【００２０】
また、このような時系列情報は、情報の内容によって判定することもできる。例えば、医療情報として、インフルエンザウイルスの感染情報である場合、一次情報（初期情報：通報）と、二次情報（個別情報：症状）、三次情報（個別：ウイルスタイプ）・・・という形式の初期情報と個別情報によって判定することも可能であり、また、医療情報として未知ウイルスであるＳＡＲＳウイルスの場合には一次情報（通報）と、二次情報（断片情報：部位、症状）、三次情報（個別情報：ウイルス名、原因）、四次情報（個別情報：初期症状、確定症状）、５次情報（個別情報：統計データ）・・・という形式で判定することも可能である。
【００２１】
この場合、予め情報の内容をキーワードとして検索することによって、時系列的に医療情報を判定することも可能である。
なお、この実施形態では高、中、低の三段階で重要度（緊急度）を判定したが、本発明の重要度は、このような実施形態に限定されるものではなく、任意の段階で判定することが可能である。
また、このようにしてカテゴリ別に分類された医療情報は、時系列的に一群のデータとして保存しておくことが好ましい。
【００２２】
配信対象分類部１４は、配信する対象である医療機関をカテゴリー別（例えば、内科、小児科、産婦人科、外科・・・）に分類した情報を格納する情報記憶装置である。例えば、図１に示す通り、医療機関Ａ、Ｂ、Ｃ、Ｄ・・・・をそれぞれカテゴリー別にグループ１、２、３・・等に分類して格納している。このカテゴリは、前記した医療情報判定部１３に応じて、二次情報以降の医療情報の重要度が同一であるものを一つのグループとして分類している（例えば、内科：グループ１、小児科：グループ２・・・）。また、配信対象分類部１４には、各医療機関へ医療情報を配信するための医療機関情報（Ｅ−メールアドレス等）も記憶されている。
【００２３】
このようにして、取得されカテゴリ別に分類されなおかつ重要度が判定された医療情報は、例えば表２〜４に示すように判定されて医療情報配信部１５へと送られる。
【００２４】
【表２】
2005251027.tif 000004
【００２５】
【表３】
2005251027.tif 000005
【００２６】
【表４】
2005251027.tif 000006
【００２７】
医療情報配信部１５は、カテゴリ別に分類された情報を、重要度とともに各医療機関に配信する情報配信手段である。なお、医療情報配信部１５は、医療情報取得部１１と同一のハードウェア構成であってもよい。
【００２８】
なお、対応する医療機関に重要度とともに配信する医療情報は、全ての情報を送ることもでき、あるいは前記医療情報格納部１２にカテゴリ別に分類保存されている場合には、その保存先情報だけを配信することも可能である。
後者の場合、通信回線への負荷等を考慮すると便利である。また、本発明の医療情報配信装置１は、医療情報格納部１２の負荷を軽減するために各医療機関に配信した医療情報を前記医療情報格納部１２から削除を行うことも可能である。また、他のメディアへ複写することも可能である。
【００２９】
また、情報の重要度に応じて、各医療機関に配信した医療情報を医療機関が読んだか否かを判定し、各医療機関が重要度の高い医療情報を読んでいない場合には前記医療情報配信装置は、医療機関に警告する構成としてもよい。
【００３０】
このようにして本発明において、医療情報は、医療情報配信装置１から医療機関の端末２Ａ、２Ｂ・・・に配信される。医療機関の端末２Ａ、２Ｂ・・・は、一般には通信手段を備えた通常のパーソナルコンピュータであるが、例えばファクシミリ等の医療情報配信装置１から配信された情報を表示することができるものであってもよい。
このような情報は、例えば、Ｅ−メールの添付ファイルの形式で図２に示すような情報をそのまま医療機関の端末２Ａ、２Ｂ・・・に配信することも可能であるが、医療情報配信システムの項で詳細に説明する通り、医療機関の端末２Ａ、２Ｂ・・に新規の医療情報が配信された旨を通知し、医療機関は、この通知に基づいて医療情報配信装置１からその情報を取得する構成とすることが好ましい。
【００３１】
（医療情報配信システム）
以下に、本発明の医療情報配信システムを図１及び図３を用いて説明する。本発明の医療情報配信システムは、前記した通りの医療情報配信装置１と、医療情報配信装置１と通信回線を介して接続された医療情報発信源Ｓと、医療情報配信装置１と通信回線を介して接続された医療機関の端末２Ａ、２Ｂ・・・とから構成されている。なお、医療情報配信装置１と医療機関の端末２Ａ、２Ｂ・・・とは、インターネット等を介して接続されてもよく、あるいは専用回線を介して接続されてもよい。
また、医療情報配信装置１の構成及び医療情報発信源Ｓからの情報の取得等については、前記医療情報配信装置の項で説明したので省略する。
【００３２】
まず、図３（ａ）に示されるように、医療情報が医療情報配信装置１から医療機関の端末２Ａ、２Ｂ・・・に配信されると、予め定められたカテゴリ毎に、その医療情報のタイトル（図中○○○で示す）とその日時が医療機関の端末２Ａ、２Ｂ・・・に表示される。
次に、各医療機関が新しい情報（図３（ａ）中で未読で示す）をその端末２Ａ、２Ｂ・・・で選択すると、通信回線を介して医療情報配信装置１にアクセスする。この際に、ネットワーク技術に常套の方法、例えばパスワードとユーザー名による認証等を行ってもよいことはもちろんである。
【００３３】
医療情報配信装置１にアクセスすると、端末２Ａ、２Ｂ・・・で選択した内容に応じて、図３（ｂ）に示す通り、その医療情報を選択できる表示画面が表示され、その医療情報を選択すると、例えば図２に示すような医療情報を端末２Ａ、２Ｂ・・・に表示可能な構成となっている。そして、該当する医療情報を端末２Ａ、２Ｂ・・・に表示すると、（未読）から（開封済）へと表示が変化する。
このように構成することによって、本発明の医療情報配信システムは、医療機関の端末２Ａ、２Ｂ・・・を介して迅速に医療情報を配信可能であり、また各医療機関は、簡単な操作で医療情報を読むことが可能となる。また、各医療情報がカテゴリ別に分類されているので、各医療機関は、必要とする過去の医療情報を簡単に読み返すことも可能である。
【００３４】
次に、本発明の医療情報配信方法を図４を用いて説明する。
図４に示す通り、まず、通信回線を介して国立感染症研究所のサーバ等の医療情報発信源から新規の医療情報があるか否かを閲覧し、新規の医療情報がある場合にはその医療情報を取得する（Ｓ１）。
次いで、取得した医療情報を解析して（Ｓ２）、この医療情報が既存情報であるか否かを判断する（Ｓ３）。Ｓ２における医療情報の解析は、例えば、初期情報を表す用語＜通達＞、＜第１版＞等をキーワードとして検索するか、これまでの医療情報のタイトルをキーワードとして検索するか及び／又は医療情報発信源のＵＲＬが新規に作成されたか否かを検索することによって行われる。
【００３５】
Ｓ３で既存情報でないと判定した場合（NO）、この情報が一次情報か既存の情報かを判断する（Ｓ４）。なお、新規情報とは、未知のウイルス、原因不明のウイルス等の新たな情報を意味する。Ｓ４で一次情報でないと判断した場合（ＮＯ）、新たなカテゴリ項目を登録し、その医療情報を保存する（Ｓ６）。
【００３６】
一方、Ｓ４で一次情報であると判断した場合（ＹＥＳ）、その既存のカテゴリを参照して、医療情報を登録する（Ｓ５）。
このように、Ｓ４で一次情報か否かを判断するのは、後記する通り、インフルエンザ等の既存情報である場合、この医療情報に関連する続報の送信先が決定されたフォルダに保存し、ＳＡＲＳウイルス等の未知情報の場合（すなわち、既存情報でない場合）には、この医療情報に関連する続報の送信先は未定であり、その後の判定手続きが容易となるためである。
【００３７】
Ｓ５又はＳ６で保存された医療情報に基づいて、次いでＳ７で配信ファイルを作成し（Ｓ７）、各医療機関に重要度（高レベル：◎）で医療情報を配信する。すなわち、Ｓ３で初期情報と判断された医療情報は、全ての医療機関に注意を促すために重要度（高レベル：◎）で配信する。
【００３８】
Ｓ３で既存情報でないと判定した場合（すなわち、ある医療情報の続報であると判断した場合）（ＹＥＳ）、Ｓ９へ移行して、Ｓ４と同様に一次情報であるか否かを判断する。Ｓ９において、一次情報であると判定した場合（ＹＥＳ）、次いで個別情報を判定し（Ｓ１０）、そしてこのＳ１０の判定に基づいて、各医療機関への重要度を判定して、配信グループを分類する（Ｓ１１）。なお、Ｓ１０における個別グループの判定及びＳ１１の配信グループの分類については、後記する図５を参照のこと。
【００３９】
そして、Ｓ１１において重要度に応じた配信グループを分類した後、Ｓ７へ戻り配信ファイルを作成し、各医療機関に配信し（Ｓ８）、そして終了する。
【００４０】
Ｓ９において、既存情報でないと判定した場合（ＮＯ）、次いで個別情報を判定し（Ｓ１２）、そしてこのＳ１２の判定に基づいて、各医療機関への重要度を判定して、配信グループを分類する（Ｓ１３）。なお、Ｓ１２における個別グループの判定及びＳ１３の配信グループの分類については、後記する図６を参照のこと。
【００４１】
そして、Ｓ１３において重要度に応じた配信グループを分類した後、Ｓ７へ戻り配信ファイルを作成し、各医療機関に配信し（Ｓ８）、そして終了する。
【００４２】
（個別情報の判定）
次に、図５及び図６を用いて個別情報の判定方法について説明する。以下の例では、感染症に対する医療情報における個別情報の判定方法について述べる。
図５に示す通り、既存の情報における医療情報の個別情報を判定し、この判定に基づいて、各医療機関を重要度レベルに応じてグループ分けするために、感染症の原因となるウイルス・細菌・原虫等の微生物情報と、感染症の部位、感染症の症状、感染経路、感染予防法等の感染情報を格納したカテゴリ別キーワードＤＢ及び各医療機関における重要度レベル情報を格納したカテゴリ別重要度クラス分けデータベースを参照して個別情報を判定するものである。
【００４３】
すなわち、既存の感染症に対しては、その感染に関わる微生物、感染部位、症状、感染経路、感染予防法等の感染情報は十分に認識されている情報である。例えば、前記した表２に記載されたインフルエンザは一般に既知のウイルスであり、発熱、悪寒等の症状、ウイルスタイプ等の個別情報が予め決まっている。そこで、本発明の好ましい実施の形態において、このような情報をキーワード情報としてデータベースＤＢに登録してある。
【００４４】
そこで、図５に示す通り、まず、対象の医療情報を所望に応じてテキスト化し、テキスト化した情報からカテゴリー別キーワードＤＢを参照して順にキーワード検索を行って個別情報を判定する（Ｓ２１）。個別情報が判定できる場合には（ＹＥＳ）、Ｓ２３へ移行し、判定できない場合には（ＮＯ）、次いで、フリーキーワード検索を行う（Ｓ２２）。本発明におけるフリーキーワード検索は、例えば症状の次にくる用語等を用いて症状を判定するものである。このような手法は、例えば本特許出願人が先に特許出願した特願２００３−１５２９４３号公報に記載している。
そして、Ｓ２２のフリーキーワード検索により個別情報が確定した場合（ＹＥＳ）、そのキーワードをカテゴリー別キーワードＤＢに登録するとともに、Ｓ２３へ移行する。
【００４５】
Ｓ２３において参照するカテゴリー別重要度クラス分けＤＢは、例えば前記の表２及び表３に示す通り、個別情報に対応して各医療機関の重要度を分類するデータベースである。すなわち、配信すべき医療情報のカテゴリーと個別情報とが決定すると、その医療情報の各医療機関における重要度が決定する。
そしてＳ２３の重要度検索により各医療機関における重要度を決定すると、各医療機関におけるクラス分けが行われ（Ｓ２４）、これに基づき重要度別に各医療機関に対する配信ファイルが生成され（図４におけるＳ７）、各医療機関へ配信される（図４におけるＳ８）。
【００４６】
未知の感染症の場合には、一般に参照すべきキーワードが存在しない。そのため、図６に示す通り、まず、症状、菌名等の次の用語を用いてフリーキーワード検索を個別情報が決定するまで行う（Ｓ３１）。
このようにして、個別情報が決定すると（ＹＥＳ）、カテゴリー別キーワードＤＢに登録し、次いで、図５に示す既存の感染症の場合と同様にして重要度検索を行い（Ｓ３２）、各医療機関に対する重要度のクラス分けを行い（Ｓ３３）、配信ファイルを作成して各医療機関に配信する。
このように構成することによって、未知の感染症の重要度のクラス分けした医療機関への配信が可能となる。
【００４７】
以上、本発明の実施の形態を説明したが、本発明はこれらの実施の形態に限定されるものではなく幅広く適用可能である。
例えば、これらの情報と関連する各種情報を関連業者等にコンテンツとして配信することも本発明の範囲内である。
【図面の簡単な説明】
【００４８】
【図１】本発明の医療情報配信装置（システム）の一例を示す図面である。
【図２】本発明の医療配信システムが取得する医療情報の一例を示す図面である。
【図３】通信回線を介して医療機関が本発明の医療情報配信システムから取得した医療情報の一例を示す図面である。
【図４】医療情報判定部の構成の一例を示すフローチャートである。
【図５】一実施形態における個別情報を判定して重要度クラス分けを行うフローチャートである。
【図６】一実施形態における個別情報を判定して重要度クラス分けを行うフローチャートである。
【図７】従来医療情報の流れを示す図面である。
【符号の説明】
【００４９】
Ｓ  医療情報発信源
１  医療情報配信装置
１１  医療情報取得部
１２  医療情報格納部
１３  医療情報判定部
１４  配信対象分類部
１５  医療情報配信部
【図１】
2005251027.tif 000007
【図２】
2005251027.tif 000008
【図３】
2005251027.tif 000009
【図４】
2005251027.tif 000010
【図５】
2005251027.tif 000011
【図６】
2005251027.tif 000012
【図７】
2005251027.tif 000013